(57)【要約】【課題】携帯端末が外部環境から取得した情報を次の情報機器で活用できる情報処理システムを提供する。【解決手段】携帯端末１０２が、情報出力手段１０１との通信で取得したコンテンツの付属情報を記憶した後、情報入力手段１０３と通信して、情報入力手段１０３に、記憶している付属情報を出力し、情報入力手段１０３が、この付属情報を用いてサービスを提供するように構成している。利用者は、街中で興味を惹く音楽等が広告表示端末等（情報出力手段）から出力されているとき、そのコンテンツの付属情報を携帯端末１０２に蓄積して、ＣＤショップのＰＯＳ端末等（情報入力手段）に入力することにより、興味を惹いたコンテンツを簡単に入手できる。【選択図】　　　図１
2004133745.tif 000002
【特許請求の範囲】
【請求項１】
端末が、情報出力手段との通信で取得したコンテンツ付属情報を記憶した後、情報入力手段と通信して、前記情報入力手段に、記憶している前記コンテンツ付属情報を出力し、前記情報入力手段が、前記コンテンツ付属情報を用いてサービスを提供することを特徴とする情報処理システム。
【請求項２】
前記情報出力手段は、前記コンテンツ付属情報の取得を促す情報を前記端末に通信することを特徴とする請求項１に記載の情報処理システム。
【請求項３】
前記情報出力手段は、コンテンツを出力するとともに、前記コンテンツの付属情報の取得を促す情報を前記端末に通信することを特徴とする請求項１に記載の情報処理システム。
【請求項４】
前記端末は、前記情報出力手段から、コンテンツ付属情報とともに、コンテンツを表示するための視聴情報を取得して記憶することを特徴とする請求項１に記載の情報処理システム。
【請求項５】
前記情報入力手段は、コンテンツの管理情報から、入力されたコンテンツ付属情報に対応するコンテンツを検索して、検出されたコンテンツ本体または前記コンテンツの管理情報を提示することを特徴とする請求項１に記載の情報処理システム。
【請求項６】
前記情報入力手段は、自らが管理するコンテンツの管理情報から、入力されたコンテンツ付属情報に対応するコンテンツを検索して、検出されたコンテンツ本体または前記コンテンツの管理情報を提示することを特徴とする請求項１に記載の情報処理システム。
【請求項７】
前記コンテンツ付属情報に、同一のコンテンツから派生したコンテンツを一括りにして識別するグローバル識別情報が含まれていることを特徴とする請求項１から請求項６のいずれかに記載の情報処理システム。
【請求項８】
前記情報入力手段は、前記グローバル識別情報をキーに、自らが管理するコンテンツの管理情報を管理することを特徴とする請求項７に記載の情報処理システム。
【請求項９】
前記情報出力手段が、前記グローバル識別情報を表すバーコードであることを特徴とする請求項７に記載の情報処理システム。
【請求項１０】
前記情報出力手段が、前記グローバル識別情報を出力するＲＦＩＤであることを特徴とする請求項７に記載の情報処理システム。
【発明の詳細な説明】
【０００１】
【発明の属する技術分野】
本発明は、携帯端末などに取り込まれた情報に基づいて、所要の処理を行う情報処理システムに関し、特に、街中で興味を惹いた音楽ＣＤの購入等の利便性を図るものである。
【０００２】
【従来の技術】
最近、「ユビキタスネットワーク技術の将来展望に関する調査研究会」（総務省）から、次世代の情報通信社会に関する調査研究の概要が報告された（下記非特許文献１）。「ユビキタス」とは、“偏在する（いたるところに存在する）”という意味のラテン語で、「ユビキタスネットワーク」は、多様な情報通信インフラをシームレスに接続することにより、空間的・地理的制約を受けずに、利用者がどこにいても、その場で必要な情報通信を利用することができる、将来の情報通信が目指す理想像を表している。
【０００３】
ユビキタスネットワークでは、ネットワークに接続して情報をやりとりする利用者端末機器の範囲が格段に広がると考えられており、ＰＣ（パーソナルコンピュータ）やＰＤＡ（Ｐｅｒｓｏｎａｌ　Ｄｉｇｉｔａｌ　Ａｓｓｉｓｔａｎｃｅ）、携帯電話等の機器はもちろんのこと、次世代テレビや情報家電、更には、通信機能を搭載したチップデバイスを用いて、テーブルや椅子、照明器具、自動車、衣類、装飾品、看板・広告等、身の回りの多くのものがネットワークに接続し、用途に合わせた情報通信によってより便利な機能を提供するようになると予想されている。
また、ユビキタスネットワークでは、利用者が置かれている状況や環境をインテリジェントに把握し、その情報に基づき利用者のネットワーク利用環境を最適化することが可能となる。
こうしたユビキタスネットワークを持つユビキタスネットワーク社会では、これまでの様々なサービスがネットワークを通じて行われると予想されている。
【０００４】
このユビキタスネットワーク社会への潮流に沿う情報提供システムの一つが下記特許文献１に開示されている。
このシステムは、館内の施設、展示物、商品等の案内や説明を、文字、音声、動画で、より分かりやすく顧客に伝え、更に、商品購入、キャンペーン応募、アンケート回答、資料請求等をリアルタイムに行うことができる館内案内システムである。
このシステムでは、図１７に示すように、美術館、劇場、デパート等の館内２に、受付３ａや展示物３ｂ、商品３ｃが配置され、この受付３ａ、展示物３ｂ及び商品３ｃの付近に、Ｂｌｕｅｔｏｏｔｈ規格等の無線接続機能を有する無線通信装置５が設置されている。この無線通信装置５は、ネットワーク９を介して管理会社２９に接続している。管理会社２９は、コンテンツ管理サーバ１１、コンテンツデータベース１３、顧客情報管理サーバ１７、顧客情報記憶装置１９、決済管理サーバ２３、及び決済情報記憶装置２５を有し、コンテンツデータベース１３には、情報提供者３１から仕入れた受付３ａや展示物３ｂ、商品３ｃに関する案内コンテンツ１５が格納されている。
【０００５】
顧客は、携帯端末７を持って館内に入場する。携帯端末７は、ＰＨＳや携帯電話等であり、この携帯端末７もＢｌｕｅｔｏｏｔｈ規格等の無線接続機能を有し、また、顧客の個人情報を保持している。
携帯端末７を持つ顧客が受付３ａに設置された無線通信装置５の通信圏内に入り、無線通信装置５が携帯端末７を検知すると、顧客情報管理サーバ１７は、無線通信装置５を介して携帯端末７から顧客の住所、氏名等から成る個人情報を受信し、顧客情報記憶装置１９に登録する。また、入場料の決済が必要な場合には、決済情報管理サーバ２３が、無線通信装置５を介して携帯端末７からクレジットカード番号等の決済に必要な顧客の個人情報を受信し、顧客の住所、氏名、クレジットカード番号、支払い金額等から成る決済情報を銀行、クレジットカード会社等の決済機関３５に送信し、決済機関３５による与信・決済処理が行われる。
【０００６】
また、コンテンツ管理サーバ１１は、無線通信装置５を介して、携帯端末７に館内施設の案内情報や展示・催事情報等から成る案内コンテンツ１５を送信する。このとき、コンテンツ管理サーバ１１は、顧客情報記憶装置１９に登録された顧客情報２１に基づいて、顧客の年齢や嗜好に合わせた案内コンテンツ１５を選択して送信することもできる。また、インタラクティブな情報のやり取りを行って、顧客の希望する展示物や商品に関する情報を検索することもできる。
また、携帯端末７を持つ顧客が展示物や商品の近辺に設置された無線通信装置５の通信圏内に入り、無線通信装置５が携帯端末７を検知すると、コンテンツ管理サーバ１１は、無線通信装置５を介して携帯端末７に、案内コンテンツ１５から展示物３ｂや商品３ｃに該当する解説を選択して送信する。このとき、コンテンツ管理サーバ１１は、顧客情報記憶装置１９に登録された顧客情報２１に基づいて、顧客の年齢や性別等に合わせた案内コンテンツ１５を選択して送信することもできる。また、携帯端末７に送信された展示物の解説は、後程プリントすることもできる。
このように、この情報提供システムでは、館内の施設、展示物、商品等の案内や説明を、携帯端末を使って、文字、音声、動画で分かりやすく顧客に伝えることができる。
【０００７】
また、近年、携帯端末は、情報の伝達・表示手段としてだけでなく、チケットやクーポンなどの有価電子情報を貯える財布としても利用されている。例えば、コンサート等のチケットとして、電子チケット（２次元バーコード）を携帯電話に記憶させて用いる方式では、インターネット対応の携帯電話で指定されたサイトにアクセスし、電子チケットを予約すると、後程、その携帯電話に電子チケットが返送され、携帯電話に蓄積される。この電子チケットを行使する場合は、２次元バーコードを蓄積した携帯電話を入場受付の認証機に翳し、認証機がこれを認証して、コンサート会場への入場が可能になる。
【０００８】
【特許文献１】
特開２００２−９２２３３号公報
【０００９】
【非特許文献１】
２００２年６月２７日「（総務庁）ユビキタスネットワーク技術の将来展望に関する調査研究会」（報告概要）、インターネット＜ＵＲＬ：ｈｔｔｐ：／／ｗｗｗ．ｓｏｕｍｕ．ｇｏ．ｊｐ／ｊｏｈｏ＿ｔｓｕｓｉｎ／ｐｏｌｉｃｙｒｅｐｏｒｔｓ／ｃｈｏｕｓａ／ｙｕｂｉｋｉｔａｓｕ／０２０６１１＿２．ｈｔｍｌ＃ＴＯＰ＞
【００１０】
【発明が解決しようとする課題】
我々は、たまたま耳にした音楽に興味を惹かれるが、その曲名が分からない、といった場面をしばしば経験する。この曲のＣＤを購入しようとすると、曲を特定するために大いに苦労することになる。もしも、その音楽を聴いたときに、端末に記録しておけば、それをＣＤショップの店員に聞かせて、曲名が分かるかも知れない。また、その記録をＣＤショップのＰＯＳ端末に読み取らせて、目的のＣＤが購入できるならば、極めて便利である。
このように、記録・表示行動と商品購入行動との連携により、利便性の向上が期待できる。ユビキタスネットワーク社会では、情報通信手段の多様化が進み、こうした行動間の連携を容易にするインフラが整備されることになる。
【００１１】
しかし、前述する従来の情報提供システムでは、携帯端末で取得した情報を表示したり、蓄積して後から印刷したりすることは行われているが、携帯端末に蓄積した情報を次の情報機器に入力して活用する利用形態は考えられていない。
また、携帯端末を有価電子情報の財布として利用するシステムでは、携帯端末に蓄積された情報を認証機に読み取らせて認証情報として使用しているが、この場合は、有価電子情報の入手先及び使用先が限定されており、外部環境から広く提供される情報を携帯端末に蓄積して、次の情報機器に繋げるという考え方は無い。
【００１２】
本発明は、こうした従来の問題点を解決するものであり、携帯端末が外部環境から取得した情報を次の情報機器で活用することができる、利便性の高い情報処理システムを提供することを目的としている。
【００１３】
【課題を解決するための手段】
そこで、本発明の情報処理システムでは、端末が、情報出力手段との通信で取得したコンテンツ付属情報を記憶した後、情報入力手段と通信して、情報入力手段に、記憶しているコンテンツ付属情報を出力し、情報入力手段が、このコンテンツ付属情報を用いてサービスを提供するように構成している。
そのため、利用者は、街中で興味を惹く音楽等が広告表示端末（情報出力手段）から出力されているとき、そのコンテンツの付属情報を携帯端末に蓄積して、ＣＤショップのＰＯＳ端末（情報入力手段）に入力することにより、興味を惹いたコンテンツを簡単に入手することができる。
【００１４】
【発明の実施の形態】
（第１の実施形態）
本発明の第１の実施形態における情報処理システムは、図１に示すように、情報を表示する情報表示端末１０１と、表示された情報の記録再生機能を持つ、利用者が携帯する携帯端末１０２と、利用者が携帯端末１０２に記録された情報を入力してサービスを受ける情報入力端末１０３と、情報の識別情報を管理するＩＤ管理センター１０４とを備えている。
この情報入力端末１０３または情報入力端末１０３が含む機能は、特許請求の範囲でいう「情報出力手段」に該当し、情報表示端末１０１または情報表示端末１０１が含む機能は特許請求の範囲でいう「情報入力手段」に該当する。
【００１５】
情報表示端末１０１は、画面に情報を表示したり、利用者に対してチケット、クーポン、商品などを提供したりする端末であり、携帯端末１０２との間で通信を行う通信部１０７と、表示するコンテンツが蓄積されたコンテンツＤＢ１０５とを備えている。この情報表示端末１０１の例として、街中のキオスク端末、情報提供端末、広告表示端末、店舗に設置されたＰＯＳ端末、展示品表示端末、チケット等発行端末などが挙げられる。
携帯端末１０２は、利用者が携帯して持ち歩く端末であり、情報表示端末１０１や情報入力端末１０３との間で通信を行う通信部１０７と、情報表示端末１０１から取得したコンテンツを記憶するコンテンツ記憶装置１０８と、このコンテンツを情報入力端末１０３に入力する際に再生するコンテンツ再生部１０９とを備えている。この携帯端末１０２の例として、携帯電話、ＰＤＡ、ノート型パソコン、腕時計などが挙げられる。
【００１６】
情報入力端末１０３は、利用者がなんらかのサービスを受ける際に直接、間接的に使用する端末であり、携帯端末１０２と通信する通信部１１０と、携帯端末１０２から入力されたコンテンツの識別情報を、情報入力端末１０３がそのコンテンツを扱う際に使用する識別情報に変換するＩＤ変換部１１１と、コンテンツの関連情報（例えば「タイトル名」、「アーティスト名」、「陳列位置」などの情報）が蓄積された関連情報ＤＢ１１２と、関連情報を再生する関連情報再生部１１３とを備えている。この情報入力端末１０３の例として、街中のキオスク端末、情報提供端末、広告表示端末、店舗に設置されたＰＯＳ端末、展示品表示端末、チケット等発行端末などが挙げられる。
また、ＩＤ管理センター１０４は、コンテンツをユニークに表わす識別情報を管理しており、その管理を実行するＩＤ管理部１１４を備えている。
なお、携帯端末１０２と情報表示端末１０１、及び、携帯端末１０２と情報入力端末１０３の間で行われる送受信には、有線通信、無線通信、接触型の通信、通信エリア内に入ると通信が可能になる接近型の通信、指向エリア内でのみ通信が可能になる赤外線やレーザーなどによる指向性通信など、さまざまな通信手段を用いることができる。
【００１７】
図２は、このシステムでの利用シーンを模式的に示している。情報表示端末１０１は、表示画面（不図示）に、コンテンツＤＢ１０５に蓄積されたコンテンツ（例えば「映画Ｘ」のプロモーションビデオ）を表示する。このコンテンツのデータ構造は、図４に示すように、視聴情報とその付属情報とから成り、コンテンツＤＢ１０５には、この形態で蓄積されている。この視聴情報及び付属情報の両方、または、そのどちらかから成る情報を「コンテキスト情報」と呼ぶことにする。
【００１８】
視聴情報は、表示用の情報であり、「映画Ｘ」のプロモーションビデオを表示するコンテンツの場合は、「映画Ｘ」のテーマソング（＝着信メロディー）、「映画Ｘ」のダイジェスト動画（＝試聴動画）、「映画Ｘ」についての解説文などから成る。付属情報は、コンテンツのメタ情報であり、コンテンツをグローバルに識別するためのコンテンツグローバルＩＤや、コンテンツ情報（タイトル名、公開日時など）、情報表示端末１０１の情報（情報表示端末ＩＤ、設置場所等）などが含まれる。また、付属情報には、著作者名や住所、コンテンツの詳細情報を取得するためのリンク先（＝ＵＲＩ：Ｕｎｉｆｏｒｍ　Ｒｅｓｏｕｒｃｅ　Ｉｄｅｎｔｉｆｉｅｒｓ）などを含めても良い。
コンテンツグローバルＩＤは、ＩＤ管理センター１０４がコンテンツの管理に用いている識別情報である。ＩＤ管理センター１０４では、図５に示す管理テーブルで、コンテンツの名称と対応付けてコンテンツグローバルＩＤを管理している。「映画Ｘ」のコンテンツグローバルＩＤは、ＩＤ＝０００３である。
【００１９】
さて、情報表示端末１０１は、コンテキスト情報の視聴情報を表示するとともに、携帯端末１０２に対して、コンテキスト情報の取得を促すコンテンツを通信部１０６から送信する。このコンテンツは、携帯端末１０２の表示画面（不図示）に、図３に示すように表示される。情報表示端末１０１は、このコンテンツの送信を視聴情報の表示と並行して常時実施してもよいし、携帯端末１０２が情報表示端末１０１の通信圏に入ったことを検出したときに開始しても良い。
散策中の利用者は、情報表示端末１０１に表示されたプロモーションビデオに興味を惹かれると、そのコンテキスト情報を携帯端末１０２に蓄積する操作を実行する。この操作を「マーキング操作」という。マーキング操作では、図３の画面から「する」ボタンが選択される。携帯端末１０２と情報表示端末１０１との間で指向性通信が行われる場合には、マーキング操作は、携帯端末１０２を情報表示端末１０１の方向に翳して行われる。
マーキング操作に応じて、情報表示端末１０１は、携帯端末１０２にコンテキスト情報を送信し、この情報は、携帯端末１０２のコンテンツ記憶装置１０８に蓄積される。利用者は、携帯端末１０２に蓄積されたコンテキスト情報の視聴情報を、必要に応じて、携帯端末１０２の表示画面に表示させて視聴することができる。
【００２０】
次に、利用者が、サービスを受けるために、携帯端末１０２に蓄積されたコンテキスト情報を情報入力端末１０３に入力する場合について説明する。図２では、ＣＤショップ店のＰＯＳ端末が情報入力端末１０３−１である場合、カラオケボックスのカラオケ端末が情報入力端末１０３−２である場合、及び、図書館の情報提供端末が情報入力端末１０３−３である場合、の三例について例示している。
【００２１】
まず、ＣＤショップ店での例について説明する。
「映画Ｘ」のサウンドトラックのＣＤを購入しようと考えた利用者は、「映画Ｘ」のコンテキスト情報を記憶した携帯端末１０２を携帯してＣＤショップに赴き、携帯端末１０２から情報入力端末１０３−１に「映画Ｘ」のコンテキスト情報を送信する。なお、携帯端末１０３に「映画Ｘ」以外の複数のコンテンツに関するコンテキスト情報が記憶されている場合には、複数のコンテキスト情報から「映画Ｘ」のコンテキスト情報を選択する操作を行い、「映画Ｘ」の情報のみを情報入力端末１０３−１に入力する。また、このとき、「映画Ｘ」のコンテキスト情報の一部のみを情報入力端末１０３−１に入力するようにしてもよい。
【００２２】
いま、図４のコンテキスト情報を蓄積した携帯端末１０３から、着メロに関する、図６に示すコンテキスト情報だけを選んで情報入力端末１０３−１に入力したとする。
付属情報に含まれるコンテンツ情報は、情報入力端末１０３−１が「映画Ｘ」のコンテキスト情報を受信した際に、情報入力端末１０３−１の画面（不図示）に「映画Ｘ」に関する情報を表示するために利用される。また同時に、視聴情報の着信メロディーを用いて、情報入力端末１０３−１からは「映画Ｘ」のテーマソングを鳴らすことができる。付属情報に含まれるコンテンツグローバルＩＤは、利用者が興味を示したコンテンツが、その店舗（＝ＣＤショップ）の商品（＝ＣＤ）のどれに該当するかを識別するために利用される。
【００２３】
情報入力端末１０３の関連情報ＤＢ１１２には、図７で示すように、ＣＤショップの商品が、コンテンツグローバルＩＤと、タイトル名、アーティスト名、陳列棚の情報とを対応付けた管理テーブルで管理されている。情報入力端末１０３のＩＤ変換部１１１は、この管理テーブルを参照して、携帯端末１０２から送信されたコンテンツグローバルＩＤに対応する商品を検索する。「映画Ｘ」のコンテンツグローバルＩＤは「０００３」であるため、図７の例では管理テーブルの上から２つ目のレコードに該当し、店舗に在庫があることが分かる。関連情報再生部１１３は、情報入力端末１０３−１の画面に、管理テーブル中の「タイトル名」、「アーティスト名」、「陳列棚」を表示する。こうすることで、利用者に対し、在庫の有無や目的とする商品の陳列棚の位置を提示することができる。
【００２４】
なお、図７の管理テーブルには、この他に、ＣＤジャケットの画像、該当ＣＤの収録曲一覧、各曲の長さ（時間）、価格、陳列棚の詳細な地図画像（＝店舗の見取り図など）などの情報を含めてもよい。情報入力端末の画面には、この管理テーブルを参照して、該当するコンテンツグローバルＩＤのレコード内容を表示することで、利用者への適切な商品ガイダンスを行うことができる。
そのため、利用者は、街中でインプレッションを受けた「映画Ｘ」のサウンドトラックのＣＤを簡単な操作で購入することができる。
【００２５】
また、図書館の情報提供端末が情報入力端末１０３−３である場合も、図７の管理テーブルに書籍特有の情報を追加して管理することにより、ＣＤショップとほぼ同様の構成で、携帯端末１０２からコンテキスト情報を入力した利用者に対して、該当する書籍の書誌的事項や保管位置を提示することができる。
【００２６】
次にカラオケボックスでの例について説明する。
カラオケボックスでカラオケを歌う場合には、歌いたい曲の曲番号をカラオケ端末（情報入力端末１０３−２）に入力する必要がある。利用者が「映画Ｘ」の曲をカラオケで歌う場合、「映画Ｘ」のコンテキスト情報を記憶した携帯端末１０２をカラオケ端末１０３−２に翳すと、コンテキスト情報がカラオケ端末１０３−２に送信される。ここでは、図８に示すように、コンテキスト情報の付属情報に含まれるコンテンツグローバルＩＤのみが携帯端末１０２からカラオケ端末１０３−２へ送信されたものとする。
【００２７】
カラオケ端末１０３−２の関連情報ＤＢでは、図９で示すように、コンテンツグローバルＩＤと曲番号とが対応付けられた管理テーブルで曲が管理されている。カラオケ端末１０３−２のＩＤ変換部１１１は、携帯端末１０２から送信されたコンテンツグローバルＩＤを基に、この管理テーブルを参照し、「映画Ｘ」の曲番号を検索する。「映画Ｘ」のコンテンツグローバルＩＤは「０００３」であり、図９の例では管理テーブルの上から２つ目のレコードにあるため、曲番号は「Ｂ−０１１」であることが分かる。そこで、カラオケ端末１０３−２の関連情報再生部１１３は、曲番号「Ｂ−０１１」をカラオケの曲キューに入れる（曲の予約）。
こうした処理により、利用者は、街中でインプレッションを受けた「映画Ｘ」のテーマソングを簡単な操作で歌うことができる。
【００２８】
このように、この情報処理システムでは、携帯端末にコンテキスト情報を記憶させて、情報入力装置に送ることにより、利用者は、求めるサービスを迅速且つ正確に享受することができる。
【００２９】
なお、本発明の実施に当たっては、この実施形態を種々に変形することが可能である。携帯端末２０１は、この実施形態の利用シーンを実現可能な最小限の機能を具備する端末、装置、工作物であれば形態などは何でも構わない。また、情報表示端末２０２は、端末の形態をしていなくても、この実施形態の利用シーンを実現可能な最小限の機能を具備する装置、工作物であれば何でも構わない。また、情報入力端末１０３は、この実施形態の利用シーンを実現可能な最小限の機能を具備する装置、工作物であれば何でも構わない。
【００３０】
また、マーキング操作は、情報表示端末側に利用者が興味を示したことを記憶させるために、利用者が行う操作であっても良い。情報表示端末の画面上にマーキング操作を促すコンテンツ（図３）を表示し、利用者が情報表示端末を操作することでマーキング操作が行い、この操作で、コンテキスト情報が情報表示端末側から携帯端末に送信されるようにしてもよい。また、マーキング操作を促すコンテンツの表示は、必須ではない。この表示を行うことなく、利用者が自発的にマーキング操作を行うようにしても良い。
【００３１】
また、コンテキスト情報の付属情報には、情報表示端末側から携帯端末にコンテキスト情報を送信する時の周囲の環境情報（天気、温度、湿度、位置など）を含めてもよい。
また、携帯端末が情報表示端末や情報入力装置と通信するときに、携帯端末を情報表示端末や情報入力装置に翳す操作は、それらの間で指向性通信が行われる場合でなければ、必ずしも必要ではない。
【００３２】
なお、情報表示端末１０１と携帯端末１０２間の通信においてコンテンツの送信は必須ではない。この場合、コンテンツ再生部１０９は省略可能である。
また、携帯端末１０２で保持するコンテキスト情報は、通信手段以外で入力されてもよい。例えば、メモリカード、ＳＤカード等のメディア経由でもよい。あるいは、ユーザによる手入力でもよい。また、携帯端末１０２で保持するコンテキスト情報は、工場出荷時の設定あるいはＲＯＭ情報に記録することによって予め端末に埋め込まれていてもよい。上記の場合は、いずれも情報表示端末１０１は省略可能である。
【００３３】
（第２の実施形態）
本発明の第２の実施形態では、第１の実施形態で示したコンテキスト情報や管理テーブルを生成するシステムについて説明する。
例えば、「映画Ｘ」を制作・管理するコンテンツ制作者（映画会社）は、「映画Ｘ」を直接、間接的に示す情報として、街頭ポスター、放送ＣＭ、プロモーションビデオ、雑誌広告、ビデオ評論雑誌の記事、電車の中吊り広告などを制作して、利用者が目にする様々な流通経路に流し、また、「映画Ｘ」のサウンドトラックのＣＤ、着信メロディー、カラオケの曲、解説本のように、２次的な商品価値があるものについても、その制作・管理を一元的に行う。
第１の実施形態における情報処理システムの円滑な運用を図るためには、こうした「映画Ｘ」に関連するすべてのコンテンツを「映画Ｘ」と同一のコンテンツグローバルＩＤによって管理することが必要になる。
【００３４】
図１０は、関連するコンテンツを制作するシステムと、流通過程のそれらのコンテンツを同一のコンテンツグローバルＩＤの下で管理する手順とを示している。
このシステムは、「映画Ｘ」を制作したコンテンツ制作者１１０１と、コンテンツグローバルＩＤを管理するＩＤ管理センター１１０２と、「映画Ｘ」の着信メロディーを制作する２次コンテンツ制作者１１０３と、「映画Ｘ」のサウンドトラックのＣＤを制作する２次コンテンツ制作者１１０４と、「映画Ｘ」に関するプロモーションビデオを表示する情報表示端末１１０５と、「映画Ｘ」に関する雑誌広告を示す情報表示端末１１０６とから成る。
【００３５】
図１０では、制作されたコンテンツを同一のコンテンツグローバルＩＤで管理する手順を矢印とＳ（ステップの意）を付した数字とで示している。
ステップ１１０１：コンテンツ制作者１１０１は、「映画Ｘ」にコンテンツグローバルＩＤを発行して貰うために、ＩＤ管理センター１１０２に、コンテンツグローバルＩＤ発行要求を出す。要求には「映画Ｘ」に関する情報（タイトル名、公開日時、制作者名、問合せ先など）を付与する。
ステップ１１０２：ＩＤ管理センター１１０２は、ユニークなＩＤを発行しそれをコンテンツグローバルＩＤとする。ＩＤ管理部１０５へは、コンテンツグローバルＩＤと関連付けて、コンテンツグローバルＩＤ発行要求に付与されていた「映画Ｘ」に関する情報を登録する。
【００３６】
ステップ１１０３：コンテンツ制作者１１０１は、発行されたコンテンツグローバルＩＤを受け取る。
ステップ１１０４：コンテンツ制作者１１０１は、発行されたコンテンツグローバルＩＤに加え、「映画Ｘ」に関するコンテキスト情報を情報表示端末１１０５に送信する。
図１１は、このとき情報表示端末１１０５に送られるコンテキスト情報の例を示している。付属情報に含まれるコンテンツ情報は「映画Ｘ」に関する情報である。また、視聴情報としてプロモーションビデオのデータを含めている。
【００３７】
ステップ１１０５：情報表示端末１１０５は、受け取ったコンテンツグローバルＩＤをキーにして、「映画Ｘ」に関するプロモーションビデオのデータとコンテキスト情報とを管理テーブルに記述し、コンテンツＤＢ１０８に格納する。このとき、必要に応じてコンテキスト情報の付属情報に情報表示端末１１０５の情報を付与して格納する。
図１２は、図１１で示されるコンテキスト情報がコンテンツＤＢ１０８に書き込まれるときに、情報表示端末の情報が付与されて記憶される場合の例を示している。情報表示端末ＩＤには、情報表示端末のシリアル番号などユニークな番号を設定する（例では「Ａ００１２」）。
また、図１３に、コンテンツＤＢ１０８で管理されているコンテキスト情報の管理テーブルの例を示す。図１３では、ステップ１１０２でコンテキストグローバルＩＤとして「０００３」が発行された「映画Ｘ」のコンテキスト情報を新規にコンテキストＤＢに登録した場合の状態を示している。
【００３８】
ステップ１１０６：コンテンツ制作者１１０１は、情報表示端末１１０６に対して、ＩＤ管理センター１１０２から発行されたコンテンツグローバルＩＤに加えて、「映画Ｘ」に関するコンテキスト情報を送信する。情報表示端末１１０６は雑誌広告を示しているので、ステップ１１０６では、コンテンツグローバルＩＤと、「映画Ｘ」に関するコンテキスト情報とを雑誌出版社等に提示することになる。
ステップ１１０７：雑誌広告として雑誌に「映画Ｘ」に関する広告が掲載される。コンテンツグローバルＩＤやコンテキスト情報は、そのどちらか、または両方が雑誌広告中に掲載される。その際、数値化、図形化されたコンテキストグローバルＩＤやバーコード（２次元バーコードを含む）が雑誌に印刷され、あるいは、コンテンツグローバルＩＤやコンテキスト情報が書き込まれたＲＦＩＤのような無線タグが雑誌に貼り付けられる。
【００３９】
ステップ１１０８：コンテンツ制作者１１０１は、「映画Ｘ」の着信メロディーを制作する２次コンテンツ制作者１１０３に、ＩＤ管理センター１１０２から発行されたコンテンツグローバルＩＤを送信する。２次コンテンツ制作者１１０３は、自身が制作した「映画Ｘ」の着信メロディーに、送られたコンテンツグローバルＩＤを付与し、この着信メロディーを流通させる際にはコンテンツグローバルＩＤを付与した状態で流通させる。
ステップ１１０９：コンテンツ制作者１１０１は、「映画Ｘ」のサウンドトラックのＣＤを制作する２次コンテンツ制作者１１０４に、ＩＤ管理センター１１０２から発行されたコンテンツグローバルＩＤを送信する。２次コンテンツ制作者１１０３は、自身が制作した「映画Ｘ」のサウンドトラックのＣＤに、送られたコンテンツグローバルＩＤを付与し、このＣＤを流通させる際にはコンテンツグローバルＩＤを付与した状態で流通させる。
【００４０】
次に、２次コンテンツ制作者１１０４が、「映画Ｘ」のサウンドトラックのＣＤを出荷し、流通させる場合について説明する。
２次コンテンツ制作者１１０４は、第１の実施形態で述べたＣＤショップに「映画Ｘ」のサウンドトラックのＣＤを出荷する場合、商品であるＣＤパッケージとともに、ＣＤに付随する情報として図１４の表で示す情報を付与して出荷する。この表には、ステップ１１０９で「映画Ｘ」に付与するように指示されたコンテンツグローバルＩＤ「０００３」と、ＣＤのタイトル名と、アーティスト名とが記述されている。なお、２次コンテンツ制作者１１０４は、この表に、さらに、ＣＤジャケットの画像、該当ＣＤの収録曲一覧、各曲の長さ（時間）、価格、ＣＤの紹介ホームページへのＵＲＩなどの情報を付与してもよい。
ＣＤショップは、図１５に示す管理テーブルで店内の商品を管理しており、新たに入荷した「映画Ｘ」のサウンドトラックのＣＤは、図１４の情報を基にして、管理テーブルへ新規に登録される。
【００４１】
なお、管理テーブルのフィールド「陳列棚」は、２次コンテンツ制作者１１０４から与えられたＣＤに付随する情報には含まれていないＣＤショップ独自のフィールドである。このように、ＣＤショップで管理する管理テーブルには、「コンテンツグローバルＩＤ」、「タイトル名」、「アーティスト名」などのように、２次コンテンツ制作者１１０４から与えられたＣＤに付随する情報（＝図１４の内容）と管理テーブルとをリンクさせて登録するフィールドの他に、「陳列棚」のようにＣＤショップ独自のフィールドを設けることができる。ＣＤショップが、「映画Ｘ」のサウンドトラックのＣＤを実際に陳列棚に並べた場合には、フィールド「陳列棚」は図１６のように更新される。
【００４２】
ＣＤショップで管理されている管理テーブルは、以上のように作成されるため、利用者は、第１の実施形態で示したようなＣＤショップの利用が可能となる。
また、携帯端末にバーコード読み取り機能やタグＩＤ読み取り機能を付加することで、利用者は、雑誌広告中に掲載された「映画Ｘ」に関する広告に興味を感じたとき、この機能を活用して、広告に掲載されたバーコードやタグＩＤから携帯端末に「映画Ｘ」に関するコンテンツグローバルＩＤやコンテキスト情報を読み取り、記録することができる。
【００４３】
このように、携帯端末に対してコンテンツグローバルＩＤやコンテキスト情報を提供するバーコードやタグＩＤについても、情報表示端末の一つと見ることができ、第１の実施形態で示した、能動的に機能する情報表示端末だけでなく、静的に情報を提供するバーコードやタグＩＤについても、情報表示端末の中に含めることができる。
【００４４】
【発明の効果】
以上の説明から明らかなように、本発明の情報処理システムでは、街中で興味を惹いた音楽や動画などの情報について、利用者自身は、その題名や発売元などの詳しい出自を知らなくても、簡単に情報を入手したり、情報を特定したりすることができる。
【図面の簡単な説明】
【図１】本発明の第１の実施形態における情報処理システムの構成を示すブロック図
【図２】本発明の第１の実施形態における情報処理システムの利用シーンを例示する図
【図３】本発明の第１の実施形態におけるマーキングを促すコンテンツを示す図
【図４】本発明の第１の実施形態におけるコンテキスト情報のデータ構成を示す図
【図５】本発明の第１の実施形態におけるＩＤ管理センターの管理テーブルを示す図
【図６】本発明の第１の実施形態におけるＣＤショップの情報入力端末に送られるコンテキスト情報のデータ構成を示す図
【図７】本発明の第１の実施形態におけるＣＤショップの管理テーブルを示す図
【図８】本発明の第１の実施形態におけるカラオケボックスの情報入力端末に送られるコンテキスト情報のデータ構成を示す図
【図９】本発明の第１の実施形態におけるカラオケボックスの管理テーブルを示す図
【図１０】本発明の第２の実施形態における情報処理システムの構成を示すブロック図
【図１１】本発明の第２の実施形態における情報表示端末に送られるコンテキスト情報のデータ構成を示す図
【図１２】本発明の第２の実施形態における情報表示端末で加工されたコンテキスト情報のデータ構成を示す図
【図１３】本発明の第２の実施形態におけるＩＤ管理センターの管理テーブルを示す図
【図１４】本発明の第２の実施形態における２次コンテンツ制作者がＣＤに付随して出荷する付随情報を示す図
【図１５】本発明の第２の実施形態におけるＣＤショップの管理テーブルを示す図
【図１６】本発明の第２の実施形態におけるＣＤショップの修正された管理テーブルを示す図
【図１７】従来の館内案内システムの構成を示すブロック図
【符号の説明】
２　館内
３ａ　受付
３ｂ　展示物
３ｃ　商品
５　無線通信装置
７　携帯端末
９　ネットワーク
１１　コンテンツ管理サーバ
１３　コンテンツデータベース
１５　案内コンテンツ
１７　顧客情報管理サーバ
１９　顧客情報記憶装置
２３　決済管理サーバ
２５　決済情報記憶装置
２９　管理会社
３１　情報提供者
３５　決済機関情報
１０１　情報表示端末
１０２　携帯端末
１０３　情報入力端末
１０４　ＩＤ管理センター
１０５　コンテンツＤＢ
１０６　通信部
１０７　通信部
１０８　コンテンツ記憶装置
１０９　コンテンツ再生部
１１０　通信部
１１１　ＩＤ変換部
１１２　関連情報ＤＢ
１１３　関連情報再生部
１１４　ＩＤ管理部
１１０１　コンテンツ制作者
１１０２　ＩＤ管理センター
１１０３　２次コンテンツ制作者
１１０４　２次コンテンツ制作者
１１０５　情報表示端末
１１０６　情報表示端末
【図１】
2004133745.tif 000003
【図２】
2004133745.tif 000004
【図３】
2004133745.tif 000005
【図４】
2004133745.tif 000006
【図５】
2004133745.tif 000007
【図６】
2004133745.tif 000008
【図７】
2004133745.tif 000009
【図８】
2004133745.tif 000010
【図９】
2004133745.tif 000011
【図１０】
2004133745.tif 000012
【図１１】
2004133745.tif 000013
【図１２】
2004133745.tif 000014
【図１３】
2004133745.tif 000015
【図１４】
2004133745.tif 000016
【図１５】
2004133745.tif 000017
【図１６】
2004133745.tif 000018
【図１７】
2004133745.tif 000019